【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
病院内情報システムと通信可能な医用画像撮影の撮影制御装置であって、
前記病院内情報システムからの検査要求に応じた撮影により得られる画像データを取得する画像データ取得手段と、
前記検査要求に応じた撮影の終了を判定する判定手段と、
前記検査要求に応じた撮影が終了したことを示す検査終了情報を作成する検査終了情報作成手段と、
前記撮影の終了が判定された後、該終了の判定とは異なる所定のトリガに応じて前記検査終了情報を前記病院内情報システムへ送信する送信手段と、
を有することを特徴とする撮影制御装置。
【請求項２】
前記送信手段は、検査情報、前記撮影の内容を示す検査実施情報、及び前記検査要求の被検者情報、撮影追加回数の情報及び操作部への入力操作の少なくともいずれかに基づくトリガに応じて前記検査終了情報を前記病院内情報システムへ送信する
ことを特徴とする請求項１に記載の撮影制御装置。
【請求項３】
前記送信手段は、前記終了が判定された後、特定の期間が経過することに応じて前記検査終了情報を前記病院内情報システムへ送信する
ことを特徴とする請求項１または２に記載の撮影制御装置。
【請求項４】
前記送信手段は、検査情報、前記撮影の内容を示す検査実施情報、及び前記検査要求の被検者情報、撮影追加回数の情報及び操作部への入力操作の少なくともいずれかに基づく特定の期間が経過することに応じて前記検査終了情報を前記病院内情報システムへ送信する
ことを特徴とする請求項１乃至３の何れか１項に記載の撮影制御装置。
【請求項５】
検査が終了してから前記病院内情報システムに検査終了情報を送信するまでの特定の期間を決定する期間決定手段を更に有し、
前記期間決定手段は、前記病院内情報システムから送信される検査要求情報、前記撮影の内容を示す検査実施情報、前記検査要求の被検者情報、操作者ごとのユーザ撮影追加回数情報及び患者ごとの患者撮影追加回数情報の指標項目に設定されている得点と重み係数とに基づいて、特定の期間を算出する
ことを特徴とする請求項１乃至４の何れか１項に記載の撮影制御装置。
【請求項６】
操作者による選択に応じて、前記病院内情報システムから送信される検査要求情報、前記撮影の内容を示す検査実施情報、前記検査要求の被検者情報、操作者ごとのユーザ撮影追加回数情報及び患者ごとの患者撮影追加回数情報のうち、前記期間決定手段が特定の期間を決定するときの基にする情報を設定する指標設定手段を更に有し、
前記指標設定手段は、操作者による設定に応じて、前記病院内情報システムから送信される検査要求情報、前記撮影の内容を示す検査実施情報、前記検査要求の被検者情報、操作者ごとのユーザ撮影追加回数情報及び患者ごとの患者撮影追加回数情報の指標項目に設定されている得点又は重み係数を変更する
ことを特徴とする請求項５に記載の撮影制御装置。
【請求項７】
前記送信手段による、前記検査終了情報の前記病院内情報システムへの送信を制限する制限手段を更に有する
ことを特徴とする請求項１乃至６の何れか１項に記載の撮影制御装置。
【請求項８】
前記期間決定手段により決定された特定の期間を前記検査が終了してからカウントする期間カウント手段を更に有し、
前記期間カウント手段は、操作者による撮影追加指示が行われた場合、特定の期間のカウントをリセットする
ことを特徴とする請求項５または６に記載の撮影制御装置。
【請求項９】
前記病院内情報システムから会計処理要求を受信したか否かを判定する会計処理要求判定手段を更に有し、
前記会計処理要求判定手段により会計処理要求が受信されたと判定された場合、
前記送信手段は、前記特定の期間が経過する前に、前記検査終了情報作成手段により作成された検査終了情報を前記病院内情報システムに送信する
ことを特徴とする請求項５または６に記載の撮影制御装置。
【請求項１０】
操作者による電源オフの指示要求を受信したが否かを判定する電源オフ指示要求判定手段を更に有し、
前記電源オフ指示要求判定手段により電源オフ指示要求が受信されたと判定された場合、
前記送信手段は、前記特定の期間が経過する前に、前記検査終了情報作成手段により作成された検査終了情報を前記病院内情報システムに送信する
ことを特徴とする請求項５または６に記載の撮影制御装置。
【請求項１１】
前記画像データ取得手段により取得された画像データを前記病院内情報システムに送信する画像データ送信手段を更に有し、
操作者による撮影追加指示が行われた場合、
前記画像データ送信手段は、前記画像データ取得手段により追加して取得された画像データを送信する
ことを特徴とする請求項１乃至１０の何れか１項に記載の撮影制御装置。
【請求項１２】
前記画像データ送信手段は、特定の期間が経過する前に、前記画像データ取得手段により取得された画像データを前記病院内情報システムとしての画像表示装置に送信する
ことを特徴とする請求項１１に記載の撮影制御装置。
【請求項１３】
病院内情報システムと通信可能な医用画像撮影の撮影制御装置であって、
操作者による検査に基づいた撮影指示に応じて撮影し画像データを取得する画像データ取得手段と、
前記画像データ取得手段により画像データを取得するときに撮影した内容を示す検査終了情報を作成する検査終了情報作成手段と、
前記画像データ取得手段により取得された画像データを前記検査終了情報よりも先行して、前記病院内情報システムに送信する画像送信手段と、
前記画像送信手段により画像データの送信が完了した後、前記検査終了情報を前記病院内情報システムに送信する送信手段と、
を有することを特徴とする撮影制御装置。
【請求項１４】
Ｘ線撮影、Ｘ線ＣＴ、ＭＲＩ、ＰＥＴ、ＳＰＥＣＴ及び超音波撮影のいずれかの撮影部と、
前記撮影部による、病院内情報システムからの検査要求に応じた撮影により得られる画像データを取得する画像データ取得手段と、
前記検査要求に応じた撮影の終了を判定する判定手段と、
前記検査要求に応じた撮影が終了したことを示す検査終了情報を作成する検査終了情報作成手段と、
前記撮影の終了が判定された後、該終了の判定とは異なる所定のトリガに応じて前記検査終了情報を前記病院内情報システムへ送信する送信手段と、
を有することを特徴とする医用画像撮影装置。
【請求項１５】
Ｘ線撮影、Ｘ線ＣＴ、ＭＲＩ、ＰＥＴ、ＳＰＥＣＴ及び超音波撮影のいずれかの撮影部と、
操作者による検査に基づいた撮影指示に応じて撮影し画像データを取得する画像データ取得手段と、
前記画像データ取得手段により画像データを取得するときに撮影した内容を示す検査終了情報を作成する検査終了情報作成手段と、
前記画像データ取得手段により取得された画像データを前記検査終了情報よりも先行して、病院内情報システムに送信する画像送信手段と、
前記画像送信手段により画像データの送信が完了した後、前記検査終了情報を前記病院内情報システムに送信する送信手段と、
を有することを特徴とする医用画像撮影装置。
【請求項１６】
病院内情報システムと通信可能な医用画像の撮影制御装置における情報処理方法であって、
前記撮影制御装置が、
前記病院内情報システムからの検査要求に応じた撮影により得られる画像データを取得する画像データ取得ステップと、
前記検査要求に応じた撮影の終了を判定する判定ステップと、
前記検査要求に応じた撮影が終了したことを示す検査終了情報を作成する検査終了情報作成ステップと、
前記撮影の終了が判定された後、該終了の判定とは異なる所定のトリガに応じて前記検査終了情報を前記病院内情報システムへ送信する送信ステップと、
を含むことを特徴とする情報処理方法。
【請求項１７】
病院内情報システムと通信可能な医用画像撮影の撮影制御装置における情報処理方法であって、
前記撮影制御装置が、
操作者による検査に基づいた撮影指示に応じて撮影し画像データを取得する画像データ取得ステップと、
前記画像データ取得ステップにより画像データを取得するときに撮影した内容を示す検査終了情報を作成する検査終了情報作成ステップと、
前記画像データ取得ステップにより取得された画像データを前記検査終了情報よりも先行して、前記病院内情報システムに送信する画像送信ステップと、
前記画像送信ステップにより画像データの送信が完了した後、前記検査終了情報を前記病院内情報システムに送信する送信ステップと、
を含むことを特徴とする情報処理方法。
【請求項１８】
コンピュータを請求項１乃至１３の何れか１項に記載の撮影制御装置として機能させるためのプログラム。
【手続補正２】
【補正対象書類名】明細書
【補正対象項目名】発明の名称
【補正方法】変更
【補正の内容】
【発明の名称】撮影制御装置、その情報処理方法およびプログラム
【手続補正３】
【補正対象書類名】明細書
【補正対象項目名】０００１
【補正方法】変更
【補正の内容】
【０００１】
本発明は、撮影制御装置、その情報処理方法およびプログラムなどに関する。
【手続補正４】
【補正対象書類名】明細書
【補正対象項目名】００１３
【補正方法】変更
【補正の内容】
【００１３】
本発明は、病院内情報システムと通信可能な医用画像撮影の撮影制御装置であって、前記病院内情報システムからの検査要求に応じた撮影により得られる画像データを取得する画像データ取得手段と、前記検査要求に応じた撮影の終了を判定する判定手段と、前記検査要求に応じた撮影が終了したことを示す検査終了情報を作成する検査終了情報作成手段と、前記撮影の終了が判定された後、該終了の判定とは異なる所定のトリガに応じて前記検査終了情報を前記病院内情報システムへ送信する送信手段と、を有することを特徴とする。